【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
火格子式廃棄物焼却炉であって、火格子を備え該火格子上の廃棄物を燃焼する燃焼室と、燃焼用一次空気を上記火格子の下から上記燃焼室内に吹き込む一次空気吹込手段と、火格子上に廃棄物を供給する給塵機とを有する火格子式廃棄物焼却炉において、
燃焼室の下流側壁面に設けられ火格子上の廃棄物の熱画像情報を得る赤外線カメラと、
熱画像情報から廃棄物状態情報を得るデータ処理装置と、
廃棄物状態情報にもとづき焼却炉の操業条件を制御する制御装置を備え、
廃棄物状態情報は、火格子上の廃棄物層の乾燥状態を示す廃棄物乾燥情報であることを特徴とする火格子式廃棄物焼却炉。
【請求項２】
火格子式廃棄物焼却炉であって、火格子を備え該火格子上の廃棄物を燃焼する燃焼室と、燃焼用一次空気を上記火格子の下から上記燃焼室内に吹き込む一次空気吹込手段と、火格子上に廃棄物を供給する給塵機とを有する火格子式廃棄物焼却炉において、
燃焼室の下流側壁面に設けられ火格子上の廃棄物の熱画像情報を得る赤外線カメラと、
熱画像情報から廃棄物状態情報を得るデータ処理装置と、
廃棄物状態情報にもとづき焼却炉の操業条件を制御する制御装置を備え、
廃棄物状態情報は、火格子上の廃棄物層の乾燥状態を示す廃棄物乾燥情報及び廃棄物層の厚さを示す廃棄物層厚情報であることを特徴とする火格子式廃棄物焼却炉。
【請求項３】
制御装置は、廃棄物状態情報にもとづき、給塵機の廃棄物供給速度、火格子の廃棄物搬送速度、燃焼用一次空気供給量、燃焼用一次空気温度のうちの少なくとも一つを制御することとする請求項１又は２に記載の火格子式廃棄物焼却炉。
【請求項４】
火格子式廃棄物焼却炉による廃棄物焼却方法であって、燃焼室内に備えられた火格子上で廃棄物を燃焼し、給塵機により火格子上に廃棄物を供給し、燃焼用一次空気を上記火格子の下から上記燃焼室内に吹き込む火格子式廃棄物焼却炉による廃棄物焼却方法において、
燃焼室の下流側壁面に設けられた赤外線カメラで火格子上の廃棄物の熱画像情報を取得し、熱画像情報をデータ処理して火格子上の廃棄物層の乾燥状態を示す廃棄物乾燥情報を取得し、廃棄物乾燥情報にもとづき焼却炉の操業条件を制御装置で制御することを特徴とする火格子式廃棄物焼却炉による廃棄物焼却方法。
【請求項５】
火格子式廃棄物焼却炉による廃棄物焼却方法であって、燃焼室内に備えられた火格子上で廃棄物を燃焼し、給塵機により火格子上に廃棄物を供給し、燃焼用一次空気を上記火格子の下から上記燃焼室内に吹き込む火格子式廃棄物焼却炉による廃棄物焼却方法において、
燃焼室の下流側壁面に設けられた赤外線カメラで火格子上の廃棄物の熱画像情報を取得し、熱画像情報をデータ処理して火格子上の廃棄物層の乾燥状態を示す廃棄物乾燥情報及び廃棄物層の厚さを示す廃棄物層厚情報である廃棄物状態情報を取得し、廃棄物状態情報にもとづき焼却炉の操業条件を制御装置で制御することを特徴とする火格子式廃棄物焼却炉による廃棄物焼却方法。
【請求項６】
制御装置による制御は、廃棄物状態情報にもとづき、給塵機の廃棄物供給速度、火格子の廃棄物搬送速度、燃焼用一次空気供給量、燃焼用一次空気温度のうちの少なくとも一つについてなされることとする請求項４又は５に記載の火格子式廃棄物焼却炉による廃棄物焼却方法。
【手続補正２】
【補正対象書類名】明細書
【補正対象項目名】００１８
【補正方法】変更
【補正の内容】
【００１８】
本発明において、上述の課題は、次のように構成される第一発明及び第二発明に係る火格子式廃棄物焼却炉そして第三発明及び第四発明に係る火格子式廃棄物焼却炉による廃棄物焼却方法により解決される。
【手続補正３】
【補正対象書類名】明細書
【補正対象項目名】００１９
【補正方法】変更
【補正の内容】
【００１９】
＜第一発明＞
第一発明の火格子式廃棄物焼却炉は、火格子を備え該火格子上の廃棄物を燃焼する燃焼室と、燃焼用一次空気を上記火格子の下から上記燃焼室内に吹き込む一次空気吹込手段と、火格子上に廃棄物を供給する給塵機とを有する火格子式廃棄物焼却炉において、燃焼室の下流側壁面に設けられ火格子上の廃棄物の熱画像情報を得る赤外線カメラと、熱画像情報から廃棄物状態情報を得るデータ処理装置と、廃棄物状態情報にもとづき焼却炉の操業条件を制御する制御装置を備え、廃棄物状態情報は、火格子上の廃棄物層の乾燥状態を示す廃棄物乾燥情報であることを特徴としている。
【手続補正４】
【補正対象書類名】明細書
【補正対象項目名】００２０
【補正方法】変更
【補正の内容】
【００２０】
＜第二発明＞
第二発明の火格子式廃棄物焼却炉は、火格子を備え該火格子上の廃棄物を燃焼する燃焼室と、燃焼用一次空気を上記火格子の下から上記燃焼室内に吹き込む一次空気吹込手段と、火格子上に廃棄物を供給する給塵機とを有する火格子式廃棄物焼却炉において、燃焼室の下流側壁面に設けられ火格子上の廃棄物の熱画像情報を得る赤外線カメラと、熱画像情報から廃棄物状態情報を得るデータ処理装置と、廃棄物状態情報にもとづき焼却炉の操業条件を制御する制御装置を備え、廃棄物状態情報は、火格子上の廃棄物層の乾燥状態を示す廃棄物乾燥情報及び廃棄物層の厚さを示す廃棄物層厚情報であることを特徴としている。
【手続補正５】
【補正対象書類名】明細書
【補正対象項目名】００２１
【補正方法】変更
【補正の内容】
【００２１】
このような構成の第一及び第二発明では、燃焼領域より上流側での火格子上の廃棄物について、赤外線カメラで廃棄物層の熱画像を、その層厚方向そして炉幅方向における熱画像情報として得て、これをデータ処理して、廃棄物状態情報を得て、この廃棄物状態情報にもとづき、制御装置により操業条件を制御する。
【手続補正６】
【補正対象書類名】明細書
【補正対象項目名】００２２
【補正方法】変更
【補正の内容】
【００２２】
第一発明及び第二発明において、制御装置は、廃棄物状態情報にもとづき、操業条件として、給塵機の廃棄物供給速度、火格子の廃棄物搬送速度、燃焼用一次空気供給量、燃焼用一次空気温度のうちの少なくとも一つを制御することができる。
【手続補正７】
【補正対象書類名】明細書
【補正対象項目名】００２３
【補正方法】変更
【補正の内容】
【００２３】
＜第三発明＞
第三発明の火格子式廃棄物焼却炉による廃棄物焼却方法は、燃焼室内に備えられた火格子上で廃棄物を燃焼し、給塵機により火格子上に廃棄物を供給し、燃焼用一次空気を上記火格子の下から上記燃焼室内に吹き込む火格子式廃棄物焼却炉による廃棄物焼却方法において、燃焼室の下流側壁面に設けられた赤外線カメラで火格子上の廃棄物の熱画像情報を取得し、熱画像情報をデータ処理して火格子上の廃棄物層の乾燥状態を示す廃棄物乾燥情報を取得し、廃棄物乾燥情報にもとづき焼却炉の操業条件を制御装置で制御することを特徴とすることを特徴としている。
【手続補正８】
【補正対象書類名】明細書
【補正対象項目名】００２４
【補正方法】変更
【補正の内容】
【００２４】
＜第四発明＞
第四発明の火格子式廃棄物焼却炉による廃棄物焼却方法は、燃焼室内に備えられた火格子上で廃棄物を燃焼し、給塵機により火格子上に廃棄物を供給し、燃焼用一次空気を上記火格子の下から上記燃焼室内に吹き込む火格子式廃棄物焼却炉による廃棄物焼却方法において、燃焼室の下流側壁面に設けられた赤外線カメラで火格子上の廃棄物の熱画像情報を取得し、熱画像情報をデータ処理して火格子上の廃棄物層の乾燥状態を示す廃棄物乾燥情報及び廃棄物層の厚さを示す廃棄物層厚情報である廃棄物状態情報を取得し、廃棄物状態情報にもとづき焼却炉の操業条件を制御装置で制御することを特徴としている。
【手続補正９】
【補正対象書類名】明細書
【補正対象項目名】００２５
【補正方法】変更
【補正の内容】
【００２５】
第三発明及び第四発明において、制御装置による制御は、廃棄物状態情報にもとづき、給塵機の廃棄物供給速度、火格子の廃棄物搬送速度、燃焼用一次空気供給量、燃焼用一次空気温度のうちの少なくとも一つについてなされるようにすることができる。